(57)【要約】【課題】ビジネススーツとビジネスバッグを収納可能であり、さらにはビジネスシューズをビジネスバッグと分別した状態で収納可能であり、かつ自転車の安全運転を妨げないビジネスツール収納リュックを提供する。【解決手段】ビジネスツール収納リュック１０は、正面生地１２と背面生地１４の間にスーツの上衣もしくはジャケットを折りたたむことなく収納可能なスーツ収納部３０と、正面生地１２の一部に他の部分より剛性が高くなるように設けられたバッグ支持プレート４０と、背面生地１４側に設けられた一対の肩紐５０と、背面生地１４側であってバッグ支持プレート４０の対面となる箇所に設けられたシューズ収納袋４４を備えている。バッグ支持プレート４０を挟んだ２箇所の折り目３４、３６でビジネスツール収納リュック１０を縦方向に折りたたんだときにスーツ収納部３０の内側に形成される空間がビジネスバッグ４２を収納するバッグ収納部７０となる。【選択図】図４
0003168947.tif 000002
【実用新案登録請求の範囲】
【請求項１】
正面生地と背面生地の間にスーツの上衣もしくはジャケットを折りたたむことなく収納可能な縦長と横幅を有するスーツ収納部と、
前記正面生地の一部に他の部分より剛性が高くなるように設けられたバッグ支持部と、
前記背面生地側に設けられた一対の肩紐、
を備え、
前記バッグ支持部を挟んだ２箇所を折り目として縦方向に折りたたむことによりスーツ収納部の内側に形成される空間がバッグ収納部となる、
ビジネスツール収納リュック。
【請求項２】
前記背面生地側であって前記バッグ支持部の対面となる箇所にシューズ収納部が設けられた、請求項１に記載のビジネスツール収納リュック。
【請求項３】
前記バッグ支持部が、前記スーツ収納部の横方向に長い矩形の板状体で構成されている、請求項１または２に記載のビジネスツール収納リュック。
【考案の詳細な説明】
【技術分野】
【０００１】
本考案は、ビジネススーツやビジネスバッグなどビジネスシーンに必要なビジネスツールを同時に収納可能なリュックに関する。
【背景技術】
【０００２】
近年、ビジネスパーソンの健康志向が高まりを見せる中、巷にはそのようなビジネスパーソンをターゲットとした健康関連の商品が溢れている。また環境意識の向上も顕著であり、従来の大量生産、大量消費から、本当に必要なものを必要なだけ購入し、それを長期にわたって大事に使うという生活スタイルに変りつつある。このようなビジネスパーソンの意識の変化は、例えば自動車の購入形態において顕著である。以前であれば、多少燃費が悪く、維持費がかかろうとも大排気量の大型車が人気であり、またこのような車を所有することが一種の社会的ステータスとされていた。しかし近年では、使用目的や家族構成にあった過不足ないサイズの車を選ぶ傾向にあり、特に燃費の良さ、維持費の安さが購入の際の決め手となるケースも多くなっている。
【０００３】
またビジネスパーソンの意識の変化は、彼らの好む通勤スタイルにも表れている。すなわち、マイカー通勤を資源の無駄で格好の悪いものと考え、自転車通勤に切り替えるというものである。自転車通勤であれば、ガソリン代も駐車場代もかからず財布には優しい上に、適度な運動になり肥満を防止できるという健康促進上のメリットもある。さらには排気ガスの削減による環境負荷の低減効果も期待できる。現在では行政もこの流れを後押しすべく駅前などに駐輪場を整備する動きをみせている。
【０００４】
ところで多くのビジネスパーソンにとって、自転車通勤をする上での一番の問題は通勤時の服装をどうするかである。ビジネススーツやビジネスシューズ（革靴、ハイヒール、パンプス等）を着用して自転車に乗ると、非常に運転しにくいだけでなく生地の痛みも早くなる。また彼らの多くはファッション性、機能性の高いスポーツタイプの自転車を好むが、このようなタイプの自転車には荷物用のカゴや荷台が装着されていないものが多く、ビジネスバッグの置き場に困るという問題もある。
【０００５】
そこで、駅もしくはオフィスまでは私服で移動し、途中でビジネス用の服装に着替えるという方法が考えられる。この方法を実行する場合、ビジネススーツ、ビジネスシューズ、ビジネスバッグ等のビジネスツールを手荷物として携帯しなければならない。特許文献１にはビジネスツールの携帯に適した鞄が紹介されてはいるが、この鞄は形状的にビジネスバッグを収納するのは困難であり、また汚れたビジネスシューズを分別して収納する工夫はなされていない。さらには普通の手提げ鞄の形態であるため、自転車を運転する際に使用するには安全上の問題がある。
【先行技術文献】
【特許文献】
【０００６】
【特許文献１】特開平９−９８８１８号公報
【考案の概要】
【考案が解決しようとする課題】
【０００７】
本考案は、この従来の技術にあった問題点に鑑みて創作されたものであり、その目的は、ビジネススーツとビジネスバッグを収納可能であり、さらにはビジネスシューズをビジネスバッグと分別した状態で収納可能であり、かつ自転車の安全運転を妨げないビジネスツール収納リュックを提供することにある。
【課題を解決するための手段】
【０００８】
前記目的を達成するため、本考案は、正面生地と背面生地の間にスーツの上衣もしくはジャケットを折りたたむことなく収納可能な縦長と横幅を有するスーツ収納部と、前記正面生地の一部に他の部分より剛性が高くなるように設けられたバッグ支持部と、前記背面生地側に設けられた一対の肩紐、を備え、前記バッグ支持部を挟んだ２箇所を折り目として縦方向に折りたたむことにより前記スーツ収納部の内側に形成される空間がバッグ収納部となる、ビジネスツール収納リュックを提供する。
【０００９】
スーツ収納部は、少なくともスーツの上衣もしくはジャケットを折りたたむことなく収納することができるが、併せてスーツの下衣、スラックスやパンツ等のボトムスも収納可能であることが好ましい。バッグ支持部は、ビジネスバッグやハンドバッグ等の荷重を支えることによりビジネススーツに直接的な荷重が加わらないようにするとともに、折りたたまれたときのビジネスツール収納リュックの底部の形状を維持することによりビジネスツール収納リュック全体の剛性を高める機能を有している。背面生地側に設けられた一対の肩紐は、これに両肩に通すことにより、折りたたまれた状態のビジネスツール収納リュックを背負うことができるようにするためのものである。
【００１０】
前記背面生地側であって前記バッグ支持部の対面となる箇所にシューズ収納部を設けてもよい。バッグ支持部は、ビジネスツール収納リュックを背負ったときに使用者の腰部から臀部のあたりに位置する部分であるため、この対面にシューズ収納部を設けたとしても自転車の操縦にはほとんど影響はない。またシューズ収納部に収納された革靴やパンプスによる荷重がバッグ支持部によって支えられるため、ビジネススーツに直接的な荷重が加わることがなく、シワやヨレ等が生じにくい。
【考案の効果】
【００１１】
ビジネスツール収納リュックは、ビジネススーツおよびビジネスバッグ、さらにはビジネスシューズをそれぞれ分別した状態で収納することができるため、例えばビジネスシューズの汚れや臭い等がビジネススーツやバッグに移る心配がない。またビジネスツール収納リュックは型崩れの防止にも配慮されているため、収納されたビジネススーツやバッグに余計な荷重が加わることがなく、シワやヨレ、変形などの心配がない。さらには自転車を運転する際にリュックサックのように背負うことができるため、カゴに入れたり、カゴのないタイプの自転車であればハンドルにぶら下げたりして運転する場合に比べ、格段に安定した走行が可能になり、安全な自転車通勤が実現できる。また背負うことで、ひったくりや置き引き等のトラブルを未然に防止することができる。
【図面の簡単な説明】
【００１２】
【図１】ビジネスツール収納リュックの正面図
【図２】ビジネスツール収納リュックの背面図
【図３】ビジネスツール収納リュックの縦断面図
【図４】ビジネスツール収納リュックを折りたたんだ状態の縦断面図
【図５】ビジネスツール収納リュックの使用例を示す図
【考案を実施するための形態】
【００１３】
本考案の実施の形態について図面を参照しながら説明する。図１乃至図３において、ビジネスツール収納リュック１０（以下、リュック１０と略称する。）は、正面生地１２と背面生地１４を主体として構成されている。背面生地１４はリュック１０の肩部１６を超えて正面側まで延びてきており、正面側の上部で正面生地１２の上端と接続されている。リュック１０の肩部１６は、背面生地１４に取り付けられた形状保持プレート１８によって略平坦な形状に維持されており、その中央にリュック１０を持ち運ぶときに使用するハンドル２０が取り付けられている。形状保持プレート１８は、ハンドル２０にかかる荷重によってリュック１０が型崩れしないように形状を保持するためのものである。形状保持プレート１８の下方にはビジネススーツ２２を吊るすためのハンガー２４が取り付けられている。正面生地１２と背面生地１４は図示こそしていないが一般的なマチ構造で両側部が繋がっている。
【００１４】
正面生地１２と背面生地１４の内側に形成される空間はビジネススーツ２２を収納するスーツ収納部３０となる。このスーツ収納部３０は、一般的な成人男性のスーツ上衣もしくはジャケットを折りたたむことなく収納することができる縦長と横幅を有している。正面生地１２は上下および左方に連続して設けられたファスナー３２によって略全面を開閉できるようになっており、ビジネススーツ２２の出し入れはファスナー３２の開け閉めによって行う。
【００１５】
リュック１０は横方向に設けられた折り目３４、３６、３８のところで縦方向に折りたたむことができる。折り目３４、３６、３８は全部で３箇所に設けられており、リュック１０の上端から第１の折り目３４までの距離と、第２の折り目３６と第３の折り目３８との距離は略同一であり、第３の折り目３８からリュックの下端までの距離はこれより少し短く、第１の折り目３４と第２の折り目３６との距離はさらに短い。
【００１６】
第１の折り目３４と第２の折り目３６の間に設けられたバッグ支持プレート４０は、リュック１０の横幅と略同一の長さを有する矩形状の薄型の板状体であり、正面生地１２に取り付けられている。バッグ支持プレート４０は、ビジネスバッグ４２の底部と接触してビジネスバッグ４２の荷重を支えるとともに、スーツ収納部３０の内側にビジネスバッグ４２を収納できる空間を確保するためのものであり、さらには折りたたまれたリュック１０の剛性を高めて型崩れしにくくするためのものであり、ビジネスバッグ４２による荷重や運搬時に加わる外力によって大きく撓まない程度の剛性を有している。
【００１７】
また第１の折り目３４と第２の折り目３６の間にはシューズ収納袋４４が背面生地１４に取り付けられている。シューズ収納袋４４は背面生地１４より薄手の柔軟な化学繊維で構成されており、少なくとも一足分のビジネスシューズ４６を収納することができる容量を有している。シューズ収納袋４４を収縮性のある素材で形成すれば、ビジネスシューズ４６を収納しないときには収縮して小さくなり、ビジネスシューズ４６を収納したときにはその形状に合わせて膨らみ、収納されたビジネスシューズ４６を背面生地１４側に押さえつけるように保持することができる。シューズ収納袋４４にはファスナー４８が設けられており、このファスナー４８を開閉することでビジネスシューズ４６の出し入れを行う。シューズ収納袋４４は正面生地１２側に設けられたバッグ支持プレート４０の対面にあるため、収納されたビジネスシューズ４６による荷重はバッグ支持プレート４０によって支えられる。
【００１８】
リュック１０の上端と第１の折り目３４の間の背面生地１４側に設けられた左右一対の肩紐５０は、折りたたまれたリュック１０を背負うときに使用するものである。肩紐５０には使用者の体格に合わせて長さを調整するためのアジャスタ５２が設けられている。
【００１９】
ハンドル２０の両側にはそれぞれ留め具（雄）５４が設けられている。留め具（雄）５４と対をなす留め具（雌）５６は背面生地１４の第３の折り３８のところに取り付けられている。またリュックの上端と第１の折り目３４の間のリュック１０の両側にもそれぞれ留め具（雄）５８が設けられている。留め具（雄）５８と対をなす留め具（雌）６０は第２の折り目３６と第３の折り目３８の間に設けられている。
【００２０】
図４（ａ）は、リュック１０を３箇所の折り目３４、３６、３８で正面生地１２の側に折りたたんだときの形態を示している。正面生地１２と背面生地１４の内側に形成された空間が、ビジネススーツ、ジャケット、パンツなどを収納することができるスーツ収納部３０である。またスーツ収納部３０の内側に形成される空間が、ビジネスバッグ、ハンドバッグなどを収納することができるバッグ収納部７０である。さらにシューズ収納袋４４の内側の空間が、ビジネスシューズ、パンプスなどを収納するシューズ収納部７２である。
【００２１】
図４（ｂ）はリュック１０の各収納部にそれぞれ所定のビジネスツールを収納したときの形態を示している。バッグ収納部７０はリュック１０を折りたたむことによって形成されるものであるため、ビジネスバッグ４２はリュック１０を折りたたむ前の開いた状態のときに正面生地１２の上に置いておくことで、リュック１０を折りたたんだときにスーツ収納部３０によって周りが囲まれ、内側に収納された状態となる。折りたたんだリュック１０は留め具（雄）５４と留め具（雌）５６を連結させて開かないように固定する。また留め具（雄）５８と留め具（雌）６０を連結させることでバッグ収納部７０の両側方の開口部が狭まり、ビジネスバッグ４２が前後から軽く押さえつけられるようになるので、リュック１０の内側においてビジネスバッグ４２の位置や姿勢が安定するとともに開口部からの落下を防止することができる。
【００２２】
バッグ収納部７０に収納されたビジネスバッグ４２の荷重はバッグ支持プレート４０によって分散されるため、ビジネススーツに伝わる荷重は均一かつ極めて弱められたものになり、ビジネススーツにはシワやヨレが生じにくい。またリュック１０は折りたたんだときに上下に位置する形状保持プレート１８とバッグ支持プレート４０の形状保持機能によって全体の剛性が高まるため、型崩れが起きにくくなっている。そのためリュック１０に収納されたビジネスツールには余計な外力が作用することはなく、原形を崩さずに運搬することができる。
【００２３】
形状保持プレート１８とバッグ支持プレート４０は、金属、樹脂、ＦＲＰ、カーボンなど比較的剛性の高い素材であれば特定の素材に限定されるものではない。また、例えばリュック１０を化学繊維素材で構成する場合などには、同じ素材のものを他の部分より厚手にしたり織りを密にしたりするなどして該当箇所の剛性を高めることも可能である。
【符号の説明】
【００２４】
１０  ビジネスツール収納リュック
１２  正面生地
１４  背面生地
２２  ビジネススーツ
３０  スーツ収納部
４０  バッグ支持プレート
４２  ビジネスバッグ
４６  ビジネスシューズ
５０  肩紐
７０  バッグ収納部
７２  シューズ収納部
【図１】
0003168947.tif 000003
【図２】
0003168947.tif 000004
【図３】
0003168947.tif 000005
【図４】
0003168947.tif 000006
【図５】
0003168947.tif 000007